(57)【要約】【課題】二輪車への着脱の作業性が良く収納も容易な車体カバーを提供する。【解決手段】車体カバー１の裏面側に永久磁石５，…を装着し、永久磁石５，…を二輪車Ｃの強磁性体部分Ｍに吸着させた状態で使用する。永久磁石５，…を強磁性体部分Ｍに順次吸着させながら車体カバー１を二輪車Ｃに装着することができるため、強風時においても車体カバー１の装着を確実にかつ容易に行うことができる。また、永久磁石５，…と強磁性体部分Ｍとを吸着面に垂直方向に引き剥がすには大きな力が要るため、外れにくく強風により飛ばされることもない。さらに、永久磁石５，…と強磁性体部分Ｍとを吸着面に沿う方向に相対的に滑らせれば比較的小さな力で外すことができるため、車体カバー１の生地２を手繰り寄せて前記方向に相対的に滑らせるように操作することにより、車体カバー１を二輪車Ｃから容易に外すことができる。【選択図】図２
0003125504.tif 000002
【実用新案登録請求の範囲】
【請求項１】
二輪車に被せて使用する車体カバーであって、
該車体カバーの裏面側に永久磁石を装着し、該永久磁石を二輪車の強磁性体部分に吸着させた状態で使用することを特徴とする二輪車用車体カバー。
【請求項２】
二輪車に被せて使用する車体カバーであって、
該車体カバーの裏面側左右両側面に、異極同士を対向させて永久磁石を各々装着し、該永久磁石の異極同士を吸着させた状態で使用することを特徴とする車体カバー。
【請求項３】
二輪車に被せて使用する車体カバーであって、
該車体カバーの裏面側左右両側面に、永久磁石及び強磁性体を対向させて各々装着し、該永久磁石及び強磁性体を吸着させた状態で使用することを特徴とする二輪車用車体カバー。
【請求項４】
前記強磁性体と一体化され、作動状態で永久磁石から離れるとブザーが鳴動する防犯ブザーからなる警報装置を備えてなる請求項３記載の二輪車用車体カバー。
【請求項５】
前記永久磁石、強磁性体又は警報装置を、前記車体カバーの裏面側に設けたポケットに収容して着脱可能としてなる請求項１〜４の何れかに記載の二輪車用車体カバー。
【考案の詳細な説明】
【技術分野】
【０００１】
本考案は、自動二輪車又は自転車等の二輪車に被せて使用され、該二輪車を覆って保護する車体カバーの改良に関するものである。
【背景技術】
【０００２】
上記二輪車用車体カバーは、二輪車の不使用時に車体を覆うことにより、風雨や塵埃等から車体を保護するものである。また、このような車体カバーを使用することにより、器物損壊（車体への傷付け等）又は盗難等を抑制する効果もある。
【０００３】
従来の二輪車用車体カバーとして、カバーの下方周縁部に設けられた紐挿通部に挿通された紐部材同士を引き寄せてそれらの両端部を縛り付けることによりカバーを車体に固定し、さらに、カバー両側面の下方縁部に設けられた係着帯の面ファスナー同士を相互に係着することにより風等によるばたつきを防止するもの（例えば、特許文献１参照。）、底板付きの下部カバーの上に車体を載せた後に上部カバーを被せ、上下のカバー間を全周にわたるファスナーで接続することにより車体全体を包み込み、強風時等においても雨や埃の侵入を防止するもの（例えば、特許文献２参照。）等がある。
【特許文献１】登録実用新案第３１１２３５０号公報（図１、図３）
【特許文献２】実開平６−１１６７号公報（図１）
【考案の開示】
【考案が解決しようとする課題】
【０００４】
特許文献１の構成では、二輪車の不使用時に車体カバーを装着する際に、カバーの下方周縁部の前記紐部材同士を引き寄せて縛る固定作業、及び、カバー両側面の下方縁部に設けられた係着帯の面ファスナー同士を相互に係着する固定作業を地面に近い位置で行う必要がある。したがって、姿勢を屈めた状態で前記固定作業を行う必要があるため、作業性が悪いという問題がある。また、二輪車を使用する際に車体カバーを外す作業も同様の点から作業性が悪いものである。さらに、強風時においては、前記面ファスナーによる係着が外れて車体カバーの二輪車への固定が解除され、該車体カバーが風により飛ばされる場合があるという問題もある。さらにまた、強風時においては、前記固定作業を行う前に、車体カバーを二輪車に被せること自体が困難である。
【０００５】
また、特許文献２の構成では、底板付きの下部カバーの上に二輪車を載せる必要があるため、上下のカバーを接続するファスナーを地面に近い位置に設ける必要がある。したがって、前記ファスナーにより上下のカバーを接続する作業を地面に近い位置で行う必要があり、姿勢を屈めた状態で前記接続作業を車体カバーの全周にわたって行う必要があるため、作業性が悪いという問題がある。また、二輪車を使用する際に車体カバーを外す作業も同様の点から作業性が悪いものである。さらに、強風時においては、前記接続作業を行う前に、上部カバーを二輪車に被せること自体が困難である。さらにまた、底板付きの下部カバーが必要となることから車体カバーを折り畳んで収納袋等に収納することができないという車体カバーの保管上の問題もある。
【０００６】
本考案は、このような課題を解決するためになされたものであり、二輪車への着脱の作業性が良く収納も容易な車体カバーを提供することを目的とする。また、強風時においても容易に装着することができるとともに、外れにくく風により飛ばされにくい車体カバーを提供することを目的とする。
【課題を解決するための手段】
【０００７】
本考案に係る二輪車用車体カバーは、前記課題解決のために、二輪車に被せて使用する車体カバーであって、該車体カバーの裏面側に永久磁石を装着し、該永久磁石を二輪車の強磁性体部分に吸着させた状態で使用するものである。
【０００８】
また、本考案に係る二輪車用車体カバーは、前記課題解決のために、二輪車に被せて使用する車体カバーであって、該車体カバーの裏面側左右両側面に、異極同士を対向させて永久磁石を各々装着し、該永久磁石の異極同士を吸着させた状態で使用するものである。
【０００９】
さらに、本考案に係る二輪車用車体カバーは、前記課題解決のために、二輪車に被せて使用する車体カバーであって、該車体カバーの裏面側左右両側面に、永久磁石及び強磁性体を対向させて各々装着し、該永久磁石及び強磁性体を吸着させた状態で使用するものである。
【００１０】
ここで、前記強磁性体と一体化され、作動状態で永久磁石から離れるとブザーが鳴動する防犯ブザーからなる警報装置を備えてなると好ましい。
【００１１】
また、前記永久磁石、強磁性体又は警報装置を、前記車体カバーの裏面側に設けたポケットに収容して着脱可能としてなると好ましい。
【考案の効果】
【００１２】
本考案に係る二輪車用車体カバーは、二輪車に被せて使用する車体カバーであって、該車体カバーの裏面側に永久磁石を装着し、該永久磁石を二輪車の強磁性体部分に吸着させた状態で使用するので、前記永久磁石を前記強磁性体部分に順次吸着させながら車体カバーを二輪車に装着することができる。したがって、強風時においても車体カバーの二輪車への装着を確実にかつ容易に行うことができる。また、前記永久磁石と前記強磁性体部分とを吸着面に垂直方向に引き剥がすには大きな力が要るため、外れにくく強風により飛ばされることもない。さらに、前記永久磁石と前記強磁性体部分とを吸着面に沿う方向に相対的に滑らせれば比較的小さな力で外すことができるため、車体カバーの生地を手繰り寄せながら、このような方向に相対的に滑らせるように操作することにより、車体カバーを二輪車から容易に外すことができる。その上、車体カバーを折り畳んで収納袋等に収納することも容易である。
【００１３】
また、本考案に係る二輪車用車体カバーは、二輪車に被せて使用する車体カバーであって、該車体カバーの裏面側左右両側面に、異極同士を対向させて永久磁石を各々装着し、該永久磁石の異極同士を吸着させた状態で使用するので、前記永久磁石のＮ極とＳ極が対向しているため、これらを順次吸着させながら車体カバーを二輪車に装着することができる。したがって、強風時においても車体カバーの二輪車への装着を確実にかつ容易に行うことができる。また、吸着している永久磁石同士は吸着面に垂直方向に引き剥がすには大きな力が要るため、外れにくく強風により飛ばされることもない。さらに、前記永久磁石同士を吸着面に沿う方向に相対的に滑らせれば比較的小さな力で外すことができるため、車体カバーの生地を手繰り寄せながら、このような方向に相対的に滑らせるように操作することにより、車体カバーを二輪車から容易に外すことができる。その上、車体カバーを折り畳んで収納袋等に収納することも容易である。
【００１４】
さらに、本考案に係る二輪車用車体カバーは、二輪車に被せて使用する車体カバーであって、該車体カバーの裏面側左右両側面に、永久磁石及び強磁性体を対向させて各々装着し、該永久磁石及び強磁性体を吸着させた状態で使用するので、前記永久磁石及び強磁性体が対向しているため、これらを順次吸着させながら車体カバーを二輪車に装着することができる。したがって、強風時においても車体カバーの二輪車への装着を確実にかつ容易に行うことができる。また、吸着している永久磁石及び強磁性体は吸着面に垂直方向に引き剥がすには大きな力が要るため、外れにくく強風により飛ばされることもない。さらに、前記永久磁石及び強磁性体を吸着面に沿う方向に相対的に滑らせれば比較的小さな力で外すことができるため、車体カバーの生地を手繰り寄せながら、このような方向に相対的に滑らせるように操作することにより、車体カバーを二輪車から容易に外すことができる。その上、車体カバーを折り畳んで収納袋等に収納することも容易である。
【００１５】
さらにまた、前記強磁性体と一体化され、作動状態で永久磁石から離れるとブザーが鳴動する防犯ブザーからなる警報装置を備えてなると、二輪車の車体から車体カバーを外すと前記強磁性体から前記永久磁石が離れるため防犯ブザーが鳴動する。したがって、前記効果に加え、前記のとおり器物損壊又は盗難等を抑制する効果もある車体カバーにおいて、これらの効果をさらに高めることができる。その上、前記強磁性体と前記永久磁石との吸着により二輪車に対して車体カバーが容易に外れないようにする機能と器物損壊又は盗難等の防犯機能とを兼備させることができる。
【００１６】
また、前記永久磁石、強磁性体又は警報装置を、前記車体カバーの裏面側に設けたポケットに収容して着脱可能としてなると、前記効果に加え、車体カバーを被せる二輪車の構成に応じて、より効率的に前記効果を奏するように前記永久磁石等を適切な位置に配設することができる。その上、無駄な磁石等を無くすことができるため、製造コストを低減することができる。さらに、二輪車及び車体カバーの所有者が、該車体カバーを被せる二輪車を買い換えた場合等においても、前記永久磁石等を新しい二輪車に最適な位置に配設することができる。
【考案を実施するための最良の形態】
【００１７】
次に、本考案の実施の形態を添付図面に基づいて説明するが、本考案は、添付図面に示された形態に限定されず実用新案登録請求の範囲に記載の要件を満たす実施形態の全てを含むものである。また、本考案に係る二輪車用車体カバーは、該車体カバーの生地の裏面側に永久磁石を装着することにより、該永久磁石を、二輪車の強磁性体部分又は前記カバーの生地の裏面側に装着された他の永久磁石若しくは強磁性体に吸着させて使用することを特徴とするものである。なお、以下において、一般的な自転車を例として説明するが、本考案が適用される二輪車としては、原動機付き自転車若しくは電動補助（アシスト）自転車等の自転車又はオートバイ若しくはスクータ等の自動二輪車も含まれる。また、本明細書において、二輪車に人が乗った状態における前後左右を前後左右とし、左方から見た図を正面図とする。
【００１８】
図１〜図６は本考案の実施の形態に係る二輪車用車体カバーの構成を示す説明図であり、図１は二輪車の例として示す自転車に車体カバーを被せた状態の正面図、図２は自転車の強磁性体部分の例を示す正面図、図３は同じく前方左側から見た斜視図、図４及び図５は永久磁石及び該永久磁石を収容するポケットの例を示す図であり、図４（ａ）は永久磁石及びポケットの縦断側面図、図４（ｂ）は永久磁石の斜視図、図５（ａ）は蓋部を開けて袋部内に永久磁石を挿入した状態を示す斜視図、図５（ｂ）は蓋部を閉じた状態を示す斜視図、図６は警報装置の構成例を示す斜視図である。
【００１９】
図１において、車体カバー１は、下方開放部３を有し、二輪車の例として示す自転車Ｃに上側から被せて使用するものであり、自転車Ｃをその全長に渡って覆うことができる大きさの防水性の生地２（防水加工が施された布地であってもよい。）からなり、該生地２の裏面側（自転車Ｃ側）の適宜箇所に設けたポケット４，…内に永久磁石５，…を収容している。したがって、図２及び図３に示す自転車Ｃの、磁石につく鉄等の強磁性体部分Ｍにフェライト磁石又はアルニコ磁石等の永久磁石５，…を吸着させながら、車体カバー１を自転車Ｃに被せることができる。
【００２０】
よって、自転車Ｃの不使用時に容易に車体を覆うこができ、風雨や塵埃等から車体を保護することができるとともに、器物損壊（車体への傷付け等）又は盗難等を抑制することができる。また、車体カバー１の前下部には左右方向の通孔１３が設けられているため、図示しないワイヤーチェーン等を前記通孔１３及び前輪のスポーク間に挿通させれば、車体カバー１を自転車Ｃから容易に外れないようにすることができるため、防犯性を高めることができる。なお、また、このような構成の車体カバー１は、容易に折り畳むことができ、収納袋等に収納することができる。
【００２１】
前記自転車Ｃの強磁性体部分Ｍとしては、例えば、図２及び図３に示すように、ハンドルＭ１、ハンドルステーＭ２、フレームＭ３、前ホークＭ４、チェーンカバーＭ５、前輪リムＭ６、前輪スポークＭ７、後輪リムＭ８、後輪スポークＭ９、前輪泥除けＭ１０、後輪泥除けＭ１１及び前かごＭ１２等が挙げられるが、これらに限定されるものではなない。例えば荷台がある自転車Ｃにおいては、キャリアステーや後かご等も強磁性体部分Ｍである場合が多い。また、自動二輪車においては燃料タンク等も強磁性体部分Ｍである場合が多い。
【００２２】
以上のような構成によれば、永久磁石５，…を強磁性体部分Ｍ（Ｍ１，Ｍ２，…）に順次吸着させながら車体カバー１を自転車Ｃに装着することができるため、強風時においても車体カバー１の自転車Ｃへの装着を確実にかつ容易に行うことができる。また、永久磁石５と強磁性体部分Ｍとを吸着面に垂直方向に引き剥がすには大きな力が要るため、外れにくく強風により飛ばされることもない。さらに、永久磁石５と強磁性体部分Ｍとを吸着面に沿う方向に相対的に滑らせれば比較的小さな力で外すことができるため、車体カバー１の生地２を手繰り寄せながら、このような方向に相対的に滑らせるように操作することにより、車体カバー１を自転車Ｃから容易に外すことができる。
【００２３】
また、図１及び図２において、車体カバー１の生地２の裏面側左右両側面に、異極同士（Ｎ極とＳ極）を対向させて永久磁石５，５を各々装着しておけば、該永久磁石５，５の異極同士を吸着させた状態で車体カバー１を使用することができる。なお、異極同士を対向させてなる永久磁石５，５は、例えば図４のような円板状の永久磁石５において、その厚さ方向に着磁して磁極を両面２極とする構成により、容易に製作することができる。そして、このような両面２極の２個の永久磁石５，５において、一方のＮ極と他方のＳ極とを対向させた状態で、車体カバー１の生地２の裏面側左右両側面に装着すればよい。
【００２４】
このような構成によれば、前記永久磁石５，５のＮ極とＳ極が対向しているため、これらを順次吸着させながら車体カバー１を自転車Ｃに装着することができる。したがって、強風時においても車体カバー１の自転車Ｃへの装着を確実にかつ容易に行うことができる。また、吸着している永久磁石５，５同士は吸着面に垂直方向に引き剥がすには大きな力が要るため、外れにくく強風により飛ばされることもない。さらに、前記永久磁石５，５同士を吸着面に沿う方向に相対的に滑らせれば比較的小さな力で外すことができるため、車体カバー１の生地２を手繰り寄せながら、このような方向に相対的に滑らせるように操作することにより、車体カバー１を自転車Ｃから容易に外すことができる。なお、対向する永久磁石５，５の一方を強磁性体としてもよく、このような構成を採用しても、永久磁石５と強磁性体とは吸着するので、前記のように永久磁石５，５を対向させて車体カバー１の裏面側左右内側面に装着する構成と同様の作用効果を奏する。
【００２５】
図４及び図５に示すように、永久磁石５は、例えば円板状であり、ケース６内に嵌合された状態で保持されるため、永久磁石５が焼結磁石であっても、その割れ又は欠け等が防止される。なお、永久磁石５の形状は円板状に限定されるものではなく、矩形板状等他の形状であってもよい。また、生地２（図１参照。）の裏面側に縫着又は接着等により取り付けられたポケット４は、永久磁石５及びケース６を収容する袋部４Ａと、該袋部４Ａ内に永久磁石５を挿入後に前記袋部４Ａの上部開口を塞ぐ蓋部４Ｂとからなる。
【００２６】
図５（ａ）のように蓋部４Ｂを開けた状態で、先ず、袋部４Ａの上部開口から該袋部４Ａ内に永久磁石５及びケース６を挿入する。次に、蓋部４Ｂを下側へ折り曲げて、該蓋部４Ｂの面ファスナー４Ｃを袋部４Ａの外面上部の面ファスナー４Ｃに係着させることにより、ポケット４内に永久磁石５及びケース６を安定かつ確実に保持することができる。また、蓋部４Ｂの面ファスナー４Ｃと袋部４Ａの面ファスナー４Ｃとを外せば、ポケット４から永久磁石５及びケース６を容易に取り出すことができる。なお、このようなポケット４内に永久磁石５を着脱可能に収容する構成ではなく、永久磁石５にあて布をして生地２の裏面の適宜位置に縫着等により取り付けてもよい。
【００２７】
前記のように永久磁石と強磁性体とを対向させて車体カバー１の裏面側左右内側面に装着する構成において、図６に示すように、一方を矩形板状の永久磁石７と矩形板状の支持片８とを接合してなるものとし、他方を強磁性体１０及び該強磁性体１０と一体化した警報装置９とすることもできる。なお、前記永久磁石７と前記支持片８との接合体は、図４（ｂ）のような円板状の永久磁石５をケース６で保護する構成であってもよいし、他の形状及び構成であってもよい。ここで、警報装置９は、作動状態で永久磁石から離れるとブザーが鳴動する防犯ブザー１１を備えてなり、電波受信部１２に受信した図示しないワイヤレスリモコンからの信号により作動状態と非作動状態、すなわちオン・オフを切り替えることができるものである。なお、ワイヤレスリモコンとしては、赤外線式又はＲＦ（Radio Frequency）等の電波式のものを用いることができる。
【００２８】
このようなワイヤレスリモコンを使用する構成を採用することにより、自転車Ｃの所有者が車体カバー１を外す前に警報装置９を非作動状態に切り替えて防犯ブザー１１が鳴動しないようにすること、及び、警報装置９を非作動状態として自転車Ｃに車体カバー１を被せた後に警報装置９を作動状態に切り替えて防犯ブザー１１が鳴動するようにすることを、容易に行うことができる。また、ワイヤレスリモコンからのオン信号又はオフ信号により状態が切り替わった時に、その状態を報知するための信号音が鳴るようにすると、前記状態を把握することができるため好ましい。
【００２９】
さらに、警報装置９及び強磁性体１０並びに永久磁石７及び支持片８を、例えば、図１及び図２に示すように、車体カバー１の下方開放部３の近傍の裏面側左右内側面の前後方向のほぼ中央部に装着すれば、車体カバー１を自転車Ｃから外そうとするときに強磁性体１０と永久磁石７とが離れやすく、すぐに防犯ブザー１１が鳴動するため好ましいが、前記警報装置９等の装着位置は図１及び図２の位置に限定されるものではない。なお、図４及び図５に示すようなポケット４によれば、警報装置９及び強磁性体１０並びに永久磁石７及び支持片８を車体カバー１に着脱可能に装着することも容易である。
【００３０】
このような構成の警報装置９及び強磁性体１０並びに永久磁石７を用いれば、強磁性体１０と永久磁石７との吸着による自転車Ｃに対して車体カバー１が容易に外れないようにする機能と警報装置９による器物損壊又は盗難等の防犯機能とを兼備させることができるし、前記のとおり器物損壊又は盗難等を抑制する効果がある車体カバー１において、これらの効果をさらに高めることができる。
【００３１】
前記防犯ブザー１１用のセンサとしては、例えば、リードスイッチを用いることができる。リードスイッチは、不活性ガスが封入され、外気から遮断されたガラス管内のリード片を磁気で開閉させるものであり、コンパクトかつ簡素な構成により接触信頼性が非常に高いものである。したがって、前記センサとしてリードスイッチを用いれば、長期にわたって高い信頼性を維持すること及びコストの増大を抑制することができる。
【００３２】
前記センサとしてリードスイッチを用いた場合において、強磁性体１０に永久磁石７が吸着した状態では、永久磁石７がリードスイッチの近傍にあり、該リードスイッチ内のリード片に外部磁界が作用して吸着された状態となり、リードスイッチはオンとなる。また、強磁性体１０から永久磁石７が離反すると、リードスイッチ内のリード片に外部磁界が作用しなくなるため、リードスイッチはオフとなる。したがって、リードスイッチがオフになると防犯ブザー１１のスイッチがオンとなるように警報装置９の回路を構成しておけばよい。なお、前記防犯ブザー１１用のセンサはリードスイッチに限定されるものではなく、永久磁石からの磁界の変化を検出するマグネットセンサ等を用いてもよい。
【００３３】
以上のような構成の車体カバー１において、永久磁石５，７、強磁性体１０及び警報装置９を、生地２の裏面側に設けたポケット（例えば図４及び図５のポケット４のようなもの）に収容して着脱可能としてなると、車体カバー１を被せる自転車Ｃ等の二輪車の構成に応じて、前記永久磁石等を適切な位置に配設することができる。その上、無駄な磁石等を無くすことができるため、製造コストを低減することができる。さらに、二輪車及び車体カバー１の所有者が、該車体カバー１を被せる二輪車を買い換えた場合等においても、前記永久磁石等を新しい二輪車に最適な位置に配設することができる。
【００３４】
以上の説明においては、二輪車の車体を全長に渡って上方から覆う車体カバー１について説明したが、車体カバー１は必ずしも二輪車の車体を全長に渡って覆うものではなくてもよい。例えば、車体カバー１が二輪車の車体の一部を覆うものであってもよい。
【図面の簡単な説明】
【００３５】
【図１】本考案の実施の形態に係る二輪車用車体カバーを自転車に被せた状態を示す正面図である。
【図２】自転車の強磁性体部分の例を示す正面図である。
【図３】自転車の強磁性体部分の例を示す前方左側から見た斜視図である。
【図４】永久磁石及び該永久磁石を収容するポケットの例を示す図であり、（ａ）は縦断側面図、（ｂ）は永久磁石の斜視図である。
【図５】永久磁石及び該永久磁石を収容するポケットの例を示す図であり、（ａ）は蓋部を開けて袋部内に永久磁石を挿入した状態を示す斜視図、（ｂ）は蓋部を閉じた状態を示す斜視図である。
【図６】警報装置の構成例を示す斜視図である。
【符号の説明】
【００３６】
１  車体カバー
２  生地
３  下方開放部
４  ポケット
５，７  永久磁石
９  警報装置
１０  強磁性体
１１  防犯ブザー
１２  電波受信部
Ｃ  自転車（二輪車）
Ｍ  強磁性体部分
【図１】
0003125504.tif 000003
【図２】
0003125504.tif 000004
【図３】
0003125504.tif 000005
【図４】
0003125504.tif 000006
【図５】
0003125504.tif 000007
【図６】
0003125504.tif 000008